(57)【要約】【課題】  ジョブに係る画像形成中に確認画像の出力を可能とし、ジョブに係る画像形成中でも画像位置や画像品質の確認を可能とする画像形成装置の提供。【解決手段】  確認画像を出力可能な画像形成装置において、確認画像情報を取得する確認画像取得手段と、前記確認画像情報に基づく前記確認画像を出力する時期を指定する出力時期指定手段と、ジョブ画像の出力中に前記出力時期指定手段で指定された時期に画像形成手段に前記確認画像を出力させる制御手段と、を有することを特徴とする画像形成装置。【選択図】        図１
2007041353.tif 000002
【特許請求の範囲】
【請求項１】
確認画像を出力可能な画像形成装置において、
確認画像情報を取得する確認画像取得手段と、
前記確認画像情報に基づく前記確認画像を出力する時期を指定する出力時期指定手段と、
ジョブ画像の出力中に前記出力時期指定手段で指定された時期に画像形成手段に前記確認画像を出力させる制御手段と、を有することを特徴とする画像形成装置。
【請求項２】
前記確認画像情報はジョブ画像情報またはテストチャート画像情報のいずれかを含み、前記ジョブ画像情報または前記テストチャート画像情報のいずれかを選択する画像情報選択手段により選択された選択ジョブ画像情報または選択テストチャート画像情報を前記確認画像として出力可能なことを特徴とする請求項１に記載の画像形成装置。
【請求項３】
前記出力時期指定手段は、所定の部数毎、所定の枚数毎、或いは任意の時期を含むいずれかの時期を選択可能なことを特徴とする請求項２に記載の画像形成装置。
【請求項４】
前記ジョブ画像情報は１頁または複数頁の情報を有し、前記確認画像として出力する頁を選択する出力頁選択手段により選択された情報を前記確認画像として出力可能なことを特徴とする請求項２または３に記載の画像形成装置。
【請求項５】
用紙を集積する複数の排紙トレイを有し、前記選択ジョブ画像情報及び前記選択テストチャート画像情報の少なくともいずれかを担持した用紙と通常のジョブ画像を担持した用紙とを異なる前記排紙トレイに集積させる制御手段を有することを特徴とする請求項１〜４のいずれか１項に記載の画像形成装置。
【請求項６】
前記確認画像を担持した用紙は前記確認画像を目視可能な排紙トレイに排紙させる前記制御手段を有することを特徴とする請求項１〜４のいずれか１項に記載の画像形成装置。
【請求項７】
前記ジョブ画像の出力中に前記確認画像を出力する場合、ジョブ画像の出力を中断するか否かを選択するジョブ中断可否選択手段を有することを特徴とする請求項１〜６のいずれか１項に記載の画像形成装置。
【請求項８】
前記ジョブ中断可否選択手段により中断可の選択が行われると、画像形成中のジョブの部数の区切りを完了するまで当該ジョブを継続し、再起動入力により中断していたジョブを継続することを特徴とする請求項７に記載の画像形成装置。
【請求項９】
前記ジョブ中断可否選択手段により中断可の選択が行われた後で前記再起動入力の前に、画質濃度及び階調性の少なくとも１つを補正可能とし、補正に基づいた確認画像の出力を可能とすることを特徴とする請求項８に記載の画像形成装置。
【請求項１０】
前記確認画像に、前記確認画像の出力時点に出力していたジョブに関するページ番号を付加し、ページ番号を付加した前記確認画像を出力可能とし、
前記補正に基づいた確認画像に、前記補正に基づいた確認画像の出力時点に出力していたジョブに関するページ番号を付加し、ページ番号を付加したページ番号を付加した前記補正に基づいた確認画像を出力可能とすることを特徴とする請求項９に記載の画像形成装置。
【請求項１１】
前記再起動入力による、中断していたジョブの区切りからの継続開始時に、指定された給紙トレイから用紙を給紙し、中断前に通常のジョブ画像を担持した用紙を集積させていた排紙トレイに集積させることを特徴とする請求項１０に記載の画像形成装置。
【請求項１２】
請求項１〜１１のいずれか１項に記載の画像形成装置と、該画像処理装置の指令に基づいて所定の用紙を給紙する給紙装置と、請求項１〜１１のいずれか１項に記載の画像形成装置の指令に基づき所定の排紙トレイに所定の用紙を排紙・積載する後処理装置と、を有することを特徴とする画像形成システム。
【請求項１３】
前記後処理装置の上から目視可能な排紙トレイに確認画像を担持した用紙を排紙・積載可能な前記後処理装置を有することを特徴とする請求項１２に記載の画像形成システム。
【発明の詳細な説明】
【技術分野】
【０００１】
本発明は、確認画像を出力可能とする画像形成装置及び画像形成システムに関する。
【背景技術】
【０００２】
従来、印刷業界等で使用される画像形成装置はプリント量が大量で、また、出力画像が高品質であることが求められている。このため大量のプリント出力後に暇庇が発見されたのでは修正後に再プリントせねばならず用紙及びトナーの不要な大量消費につながるため、ジョブ画像等の試し刷り（確認画像の出力）を実施可能な画像形成装置が知られていた。
【０００３】
その例として確認画像の出力後ジョブに係る画像形成を行う画像形成装置が知られている（例えば特許文献１参照）。また、通常ジョブの開始前とジョブ中断中に確認画像出力に移行することを許可する画像形成装置が知られている（例えば特許文献２参照）。また、原稿画像をコピーする場合特に注意したい部分が例えば上から４，５行目辺りだとすると、その部分を指定して画像濃度を確認する確認画像出力可能な画像形成装置が知られている。（例えば特許文献３参照）
【特許文献１】特開平８−１０６１９１号公報
【特許文献２】特開２０００−３５７３０号公報
【特許文献３】特開２００１−３５０３７３号公報
【発明の開示】
【発明が解決しようとする課題】
【０００４】
しかし、特許文献１に記載された画像形成装置は確認画像出力後に本コピー（ジョブ出力）を行うため、ジョブを出力中には確認画像を出力することができず急を要する画像形成が必要な場合等は間に合わなくなってしまう可能性があるという問題が有った。また確認画像用紙を排紙するトレイを通常ジョブを排紙するトレイと別個に設けたために構造が複雑となってしまうという問題があった。
【０００５】
また、特許文献２に記載された画像形成装置は、通常のジョブの処理途中であっても確認画像の出力を可能としているが、時期として通常ジョブの開始前とジョブ中断中のみに確認画像を出力可能としているため、ジョブを出力中には確認画像を出力することができず、急を要する画像形成が必要な場合等は間に合わなくなってしまう可能性があるという問題が有った。
【０００６】
また、特許文献３に記載された画像形成装置は、１ページの中の濃度バラツキの確認のためにユーザが特に重点的に確認したい例えばジョブの１ページの上から４，５行目辺りを指定して特定部分での画像仕上がりを確認することができるようにしてあるが、複数のジョブ頁から任意の頁を選択して用紙に対する画像位置の適否等をチェックすることはできにくいという問題点があった。
【０００７】
本発明は上記問題点に鑑み、
簡単な構成で、確認画像を行っても急を要するジョブの画像形成を可能とし、画像位置や画像品質の確認を可能とする画像形成装置及び画像形成システムを提供することを目的とする。
【課題を解決するための手段】
【０００８】
本発明に係る上記目的は下記により達成される。
【０００９】
（１）  確認画像を出力可能な画像形成装置において、
確認画像情報を取得する確認画像取得手段と、
前記確認画像情報に基づく前記確認画像を出力する時期を指定する出力時期指定手段と、
ジョブ画像の出力中に前記出力時期指定手段で指定された時期に画像形成手段に前記確認画像を出力させる制御手段と、を有することを特徴とする画像形成装置。
【００１０】
（２）  前記確認画像情報はジョブ画像情報またはテストチャート画像情報のいずれかを含み、前記ジョブ画像情報または前記テストチャート画像情報のいずれかを選択する画像情報選択手段により選択された選択ジョブ画像情報または選択テストチャート画像情報を前記確認画像として出力可能なことを特徴とする（１）に記載の画像形成装置。
【００１１】
（３）  前記出力時期指定手段は、所定の部数毎、所定の枚数毎、或いは任意の時期を含むいずれかの時期を選択可能なことを特徴とする（２）に記載の画像形成装置。
【００１２】
（４）  前記ジョブ画像情報は１頁または複数頁の情報を有し、前記確認画像として出力する頁を選択する出力頁選択手段により選択された情報を前記確認画像として出力可能なことを特徴とする（２）または（３）に記載の画像形成装置。
【００１３】
（５）  用紙を集積する複数の排紙トレイを有し、前記選択ジョブ画像情報及び前記選択テストチャート画像情報の少なくともいずれかを担持した用紙と通常のジョブ画像を担持した用紙とを異なる前記排紙トレイに集積させる制御手段を有することを特徴とする（１）〜（４）のいずれか１項に記載の画像形成装置。
【００１４】
（６）  前記確認画像を担持した用紙は前記確認画像を目視可能な排紙トレイに排紙させる前記制御手段を有することを特徴とする（１）〜（４）のいずれか１項に記載の画像形成装置。
【００１５】
（７）  前記ジョブ画像の出力中に前記確認画像を出力する場合、ジョブ画像の出力を中断するか否かを選択するジョブ中断可否選択手段を有することを特徴とする（１）〜（６）のいずれか１項に記載の画像形成装置。
【００１６】
（８）  前記ジョブ中断可否選択手段により中断可の選択が行われると、画像形成中のジョブの部数の区切りを完了するまで当該ジョブを継続し、再起動入力により中断していたジョブを継続することを特徴とする（７）に記載の画像形成装置。
【００１７】
（９）  前記ジョブ中断可否選択手段により中断可の選択が行われた後で前記再起動入力の前に、画質濃度及び階調性の少なくとも１つを補正可能とし、補正に基づいた確認画像の出力を可能とすることを特徴とする（８）に記載の画像形成装置。
【００１８】
（１０）  前記確認画像に、前記確認画像の出力時点に出力していたジョブに関するページ番号を付加し、ページ番号を付加した前記確認画像を出力可能とし、
前記補正に基づいた確認画像に、前記補正に基づいた確認画像の出力時点に出力していたジョブに関するページ番号を付加し、ページ番号を付加したページ番号を付加した前記補正に基づいた確認画像を出力可能とすることを特徴とする（９）に記載の画像形成装置。
【００１９】
（１１）  前記再起動入力による、中断していたジョブの区切りからの継続開始時に、指定された給紙トレイから用紙を給紙し、中断前に通常のジョブ画像を担持した用紙を集積させていた排紙トレイに集積させることを特徴とする（１０）に記載の画像形成装置。
【００２０】
（１２）  （１）〜（１１）のいずれか１項に記載の画像形成装置と、該画像処理装置の指令に基づいて所定の用紙を給紙する給紙装置と、（１）〜（１１）のいずれか１項に記載の画像形成装置の指令に基づき所定の排紙トレイに所定の用紙を排紙・積載する後処理装置と、を有することを特徴とする画像形成システム。
【００２１】
（１３）  前記後処理装置の上から目視可能な排紙トレイに確認画像を担持した用紙を排紙・積載可能な前記後処理装置を有することを特徴とする（１２）に記載の画像形成システム。
【発明の効果】
【００２２】
本発明によれば次のような効果を得ることが出来る、すなわち、
（１）に記載の、確認画像を出力する時期を指定する出力時期指定手段と、ジョブ画像の出力中に出力時期指定手段で指定された時期に確認画像を出力させる制御手段とを有することにより、ジョブに係る画像形成中に確認画像の出力を可能とし、確認画像を行っても急を要するジョブの画像形成を可能とする画像形成装置の提供が可能となる。
【００２３】
（２）に記載の、ジョブ画像またはテストチャート画像のいずれかを切替可能に確認画像として出力可能とすることにより、画像位置の確認や画像品位の確認等多様な確認をすることが可能となる。
【００２４】
（３）に記載の、確認画像の出力時期を、所定の部数毎、所定の枚数毎、或いは任意の時期を選択可能とすることにより、多様な時期に自動的に出力が可能となる。
【００２５】
（４）に記載の、複数頁のジョブ画像の内所定のジョブ画像を確認画像として選択可能とすることにより、画像位置の確認や画像品位の確認等多様な確認をすることが可能となる。
【００２６】
（５）に記載の、通常のジョブを排紙する複数のトレイを有し、通常のジョブ画像と確認画像を前記複数のトレイのそれぞれ別のトレイに排紙することにより、確認画像専用の排紙トレイを不要とし、簡単な構成の画像形成装置の提供が可能となる。
【００２７】
（６）に記載の、確認画像を目視可能なトレイに廃止可能とすることにより、確認画像用紙をトレイから取り出さなくともチェックが可能となり、生産性が向上する。
【００２８】
（７）、（８）に記載の、確認画像を出力時にジョブ画像の出力を中断可能とすることにより、トレイに排出した確認画像のチェックが必要時間可能となり、またチェックにより問題が確認できた場合は中断時に問題の改善を図ることが可能となる。
【００２９】
（９）に記載の、ジョブの中断後、再起動入力の前に、画質濃度及び階調性の少なくとも１つを補正可能とし、補正に基づいた確認画像の出力を可能とすることにより、補正結果を目視可能となり中断時に問題の改善を図ることが可能となる。
【００３０】
（１０）に記載の、確認画像にジョブに関するページ番号を付加することにより、どの確認画像がジョブ中のどのタイミングで出力されたか、後でも確認可能となり、中断時及び後に問題の改善がしやすくなる。
【００３１】
（１１）に記載の、中断していたジョブの区切りからの継続開始時に、指定された給紙トレイから用紙（例えば色が付いた用紙）を給紙させることにより、補正の位置を明確にでき中断時及び後に問題の改善がしやすくなる。
【００３２】
（１２）、（１３）に記載の、確認画像を出力する時期を指定する出力時期指定手段と、ジョブ画像の出力中に出力時期指定手段で指定された時期に確認画像を出力させる制御手段とを有する画像形成装置と、確認画像の搬送時に上面から目視可能な排紙トレイに排紙可能な後処理装置を接続することにより、ジョブに係る画像形成中に確認画像の出力を可能とし、確認画像を行っても急を要するジョブの画像形成を可能とする画像形成システムの提供が可能となる。
【発明を実施するための最良の形態】
【００３３】
以下に本発明の実施の形態を説明するが、本欄の記載は請求項の技術的範囲や用語の意義を限定するものではない。
【００３４】
確認画像とは用紙に対する画像の位置を確認したり画像品質を確認するための画像を指し、確認画像出力用紙とは該確認画像を担持した用紙を指し、確認画像情報とは確認画像の元となる情報（データ）を指す。
【００３５】
ジョブとは狭義には、少なくとも１ユニットの画像情報を指し、例えば原稿読み取り手段で読み込んだ一纏めの原稿画像〔ユニット〕を、１〜複数ユニット集合したものを指す。また、ローカルエリアネットワーク〔ＬＡＮ〕やインターネット等を介し外部から読み込んだ一纏めの原稿画像〔ユニット〕を、１〜複数ユニット集合したものを指す。
【００３６】
また広義には、それらの１〜複数ユニット集合した画像情報に基づきプリント出力するまでのことを指す。また、ジョブの部数の区切りとはジョブを構成するユニットの区切りを指す。
【００３７】
以下、単にジョブと記した場合は狭義のジョブを指す。
【００３８】
ジョブ画像情報とはジョブに係る画像の元となる情報（データ）を指し、ジョブ情報とはジョブに係る出力条件情報を指す。
【００３９】
先ず、本発明の画像形成装置の構成・作用について説明する。
【００４０】
図１は、画像形成装置の１例を示す断面構成図である。
【００４１】
画像形成装置１は、集積された一纏めの原稿すなわちジョブに係る原稿を１枚ずつ取り出して画像読取位置に搬送した後排紙する自動原稿給紙手段２、と、画像読取位置で用紙の画像を読み取る画像読取手段３、と、読み取った画像データに基づきトナー画像を形成する画像形成手段である画像形成手段４、と、給紙トレイから所定のサイズの用紙を１枚ずつ取りだして給紙する大容量自動給紙ユニットＤ、と、大容量自動給紙ユニットＤで取りだした用紙をトナー画像の転写位置に搬送給紙する給紙手段５とで構成される給紙手段と、画像を担持した用紙を反転したり、再度画像の転写位置に搬送・給紙する反転排紙・再給紙部６、と、用紙を反転させる反転搬送部７、と、タッチパネルや操作スイッチ等で構成されてオペレータがジョブ情報や確認画像に係る出力条件の情報を入力したり装置の状況を表示する操作パネル１０、と、インターネットを介して外部のサーバー等と通信を行うインターネット通信手段Ｃ１、と、ローカルエリアネットワーク（以下ＬＡＮと記す。）を介してサーバーや他の画像形成装置と通信を行うＬＡＮ通信手段Ｃ２、と、給紙装置９と通信を行う給紙装置通信手段Ｃ３、と、後処理装置８と通信を行う後処理装置通信手段Ｃ４、と、ＣＰＵと書き替え可能な記憶手段例えばバッテリーバックアップされたランダムアクセスメモリ（以下ＲＡＭと記す）Ｍ１と画像形成の制御プログラムや通信制御に係るプログラム等を予め記憶した不揮発性のリードオンリーメモリ（以下ＲＯＭと記す）Ｍ２と各種インターフェース部材とを有し上述した自動原稿給紙手段２〜後処理装置通信手段Ｃ４等を制御する制御手段Ｃ、等を有している。
【００４２】
ここで後述するように、操作パネル１０とインターネット通信手段Ｃ１とＬＡＮ通信手段Ｃ２とは確認画像情報取得手段としての機能を有しても良く、操作パネル１０は確認画像情報に基づく確認画像を出力する時期を指定する出力時期指定手段とジョブ画像情報またはテストチャート画像情報のいずれかを選択する画像情報選択手段と確認画像として出力する頁を選択する出力頁選択手段とジョブ画像の出力を中断するか否かを選択するジョブ中断可否選択手段との機能を有している。
【００４３】
作用について説明すると、操作パネル１０からオペレータによりジョブ情報等が入力され、画像形成の起動指示が入力されると画像形成装置１が起動する。これにより、画像形成装置１の自動原稿給紙手段２は、原稿載置台１１上に載置された複数枚の原稿（図示せず）を、原稿分離手段１２によって１枚づつ分離して、原稿搬送手段１３によって画像読取位置に搬送する。
【００４４】
原稿読取位置は原稿搬送手段１３の下方に設けられており、画像読取手段３のスリット２１を通してジョブ画像である原稿の画像が読み取られるようになっている。
【００４５】
画像が読み取られた原稿は、原稿排紙手段１４によって原稿排紙台１５上へと排紙される。
【００４６】
また、プラテンガラス２２上に原稿を直接載置して複写を行うこともできるように構成してある。
【００４７】
画像読取手段３は、前記スリット２１を介して原稿を照射するランプ２３１と原稿からの反射光を反射させる第１ミラーユニット２３と、第２ミラーユニット２４と、撮像素子に結像させる結像レンズ２５、および、結像レンズ２５によって結像された光像を光電変換するライン状のＣＣＤ２６を有している。
【００４８】
原稿画像がＣＣＤ２６により読み取られ光電変換されたアナログ信号は、アナログ処理後Ａ／Ｄ変換され、画像処理部（図示せず）でシェーディング補正、フィルタ処理、あるいは、γ補正等の適宜の画像処理を施されて画像情報とされた後、一旦、ＲＡＭ・Ｍ１に記憶される。
【００４９】
ここで、インターネット通信手段Ｃ１によりインターネットを介して外部のサーバーやパーソナルコンピュータ（以下ＰＣと記す）からジョブ画像情報とそのジョブ情報を得るようにしても良く、更にＬＡＮ通信手段Ｃ２によりＬＡＮを介して他の画像形成装置やサーバー等からジョブ画像情報とそのジョブ情報を得るようにしても良い。
【００５０】
これらにより遠隔地や他フロアに設置されたＰＣやサーバーやスキャナ等からジョブ画像情報とそのジョブ情報を取得することが可能となる。
【００５１】
画像形成手段４は、電子写真プロセスを用いて画像形成する部位であり、像担持体としての光導電性感光層を表面に有する感光体ドラム３１、当該感光体ドラム３１の表面を一様帯電させる帯電器３２、画像処理後の画像データに基いて作動され、前記感光体ドラム３１上を露光して静電荷潜像を形成するための露光手段であるレーザー書込系３３、前記感光体ドラム３１上に形成される静電荷潜像を現像してトナー像となす現像ユニット３４、顕像化された前記トナー像を用紙上に転写せしめる転写極３５、トナー像が転写された用紙の裏面からＡＣコロナ放電を行い、前記感光体ドラム３１上からの用紙の分離を促進する除電器３６、および、転写工程終了後の前記感光体ドラム３１を清掃するためのクリーニング手段３７等、を有している。
【００５２】
定着装置３９は、加熱源Ｈを内蔵し、その周囲を独立回転する加熱ローラ３９０と、前記加熱ローラ３９０と圧接しながら回転する圧接ローラ３９３からなり、定着装置３９の下流には、反転排紙・再給紙部６の構成要素である定着排出ローラ５１、切替手段５２、及び用紙を装置外に排出する排紙ローラ５３が備えてある。
【００５３】
上記画像形成手段４および定着装置３９による用紙上への画像形成は、不図示の駆動手段によって矢示の方向に回転する感光体ドラム３１を帯電器３２により順次帯電した後、レーザー書込系３３によるドット露光でジョブ画像情報に対応した静電荷潜像を形成し、現像ユニット３４により前記静電荷潜像をトナー像となし、その後、第２給紙手段としてのレジストローラ４６の回転開始により給送される用紙Ｐ上に、前記転写極３５の作用を介して転写させ、その後定着装置３９により用紙上のトナー像を定着させることで達成される。
【００５４】
また、大容量自動給紙ユニットＤは、大量の用紙を収納可能な給紙トレイＤ１〜Ｄ３を有し、用紙Ｐの搬送手段としての搬送ローラ対（以下、搬送ローラともいう）Ｒ１、Ｒ２、Ｒ３、Ｒ４、Ｒ５、により、ジョブ情報に応じて選択された給紙トレイから所定のサイズ、所定の種類の用紙Ｐを給紙する。
【００５５】
給紙手段５は、前記大容量自動給紙ユニットＤから前記画像形成手段４へと用紙Ｐを給紙するための搬送手段として、搬送ローラ対（以下、搬送ローラともいう）Ｒ６、および、前述したレジストローラ４６、転写前ローラ４７等を備え、大容量自動給紙ユニットＤにより給紙された用紙Ｐを画像形成手段４に給紙する。
【００５６】
ここで、さらに大容量の用紙を収納可能な公知の用紙給紙装置（不図示）を画像形成装置１の上流に接続し、画像形成装置１と通信を行い所定の給紙トレイから所定のサイズ、所定の種類の用紙を給紙させるようにしても良い。
【００５７】
反転排紙・再給紙部６は、転写・定着後の用紙Ｐを反転排紙したり、両面画像形成モードに従って用紙Ｐを画像形成装置４に再給紙するための領域であり、通常は定着排出ローラ５１により排出された用紙Ｐを切替手段５２の上面を経、排紙部である排紙ローラ５３により大容量の第１の用紙積載トレイ５４へ用紙を排紙・積載する。
【００５８】
ここで、第１の用紙積載トレイ５４は上段のトレイで画像形成装置１の上からトレイの上表面が目視可能な位置に設けられている。
【００５９】
第１の用紙積載トレイ５４及び下段の第２の用紙積載トレイ５５を移動手段（不図示）により独自に図示上下方向に移動可能とし、通常は第１の用紙積載トレイ５４に用紙を排紙・積載させ、第１の用紙積載トレイ５４及び第２の用紙積載トレイ５５を移動させて例えば確認コピー用紙を第２の用紙積載トレイ５５に排紙・積載するようにしても良い。
【００６０】
また、画像形成装置１の下流に公知の大容量用紙積載装置（不図示）を接続し、画像形成装置１と通信を行い所定のトレイに画像形成装置から排紙された所定の用紙を積載するようにしても良い。
【００６１】
以下に画像形成装置の制御について説明する。
【００６２】
図２は、画像形成装置の第１の制御形態のブロック図である。
【００６３】
画像形成装置の確認画像出力の制御に係る構成を図１及び図２を参照して説明する。
【００６４】
操作パネル１０はタッチパネルで構成され、オペレータがジョブ情報等（例えば用紙サイズ情報）を入力する入力手段１０２と、画像形成装置の状態等を表示する表示手段１０１とを有し、制御手段Ｃと情報を授受しあい入力手段１０２の入力情報を制御手段に入力し、制御手段から送信される確認画像出力に係る画像表示情報に基づいて表示手段１０１で画面表示を行う。
【００６５】
また、操作パネル１０は確認画像を出力する時期を指定する出力時期指定手段を兼ねている。なお、出力時期指定手段を別途設けても良い。
【００６６】
画像読取手段３は確認画像読取手段の１つで、確認画像の１つである原稿画像を読み込みジョブ画像情報として制御手段Ｃに入力する。
【００６７】
インターネット通信手段Ｃ１とＬＡＮ通信手段Ｃ２は確認画像読取手段の１つで、インターネット或いはＬＡＮを介して外部のサーバーやパーソナルコンピュータ（ＰＣ）から確認画像の１つであるジョブ画像情報と、ジョブ情報とを受信して制御手段Ｃにジョブ画像情報及びジョブ情報として入力する。
【００６８】
画像形成装置１に配設された給紙装置９と通信を行う給紙装置通信手段Ｃ３と後処理装置８と通信を行う後処理装置通信手段Ｃ４とは、それぞれ、給紙装置９の給紙装置通信手段Ｃ３’と後処理装置８の後処理装置通信手段Ｃ４’とに接続されて特に用紙に係る情報を授受しあい、画像形成装置１と給紙装置９と後処理装置８との連動運転を可能としている。
【００６９】
なお、画像読み取り手段３、インターネット通信手段Ｃ１、ＬＡＮ通信手段Ｃ２の少なくとも１つでも有していればよい。
【００７０】
ＲＡＭ・Ｍ１はバッテリーバックアップされたＲＡＭで、ＣＰＵ・Ｃ’により画像読取手段３、インターネット通信手段Ｃ１、ＬＡＮ通信手段Ｃ２のいずれから入力されたジョブ画像情報、ジョブ情報、確認コピー画像情報等等各種情報（データ）を記憶／読み出される。
【００７１】
ＲＯＭ・Ｍ２は予め画像形成の制御プログラムと通信制御に係るプログラム、確認画像の１つであるテストチャート（例えば濃度補正用パッチ画像、階調確認用濃度チャート画像）、等が記憶されており、ＣＰＵ・Ｃ’により読み出される。
【００７２】
画像形成手段４は感光体ドラム３１、帯電器３２、レーザー書込系３３、現像ユニット３４、転写極３５、除電器３６、クリーニング手段３７等を有し、これらを構成する各種検出部材（例えば用紙を検出するセンサ）の検出結果がＣＰＵ・Ｃ’に入力され、各種駆動デバイス（例えばモータやソレノイド）がＣＰＵ・Ｃ’により制御され、上述したような画像形成を行う。
【００７３】
インターフェース部材Ｉ／Ｏは入出力機器とＣＰＵ・Ｃ’とのインターフェースを司り入力機器からＣＰＵ・Ｃ’への情報の入力を可能とし、ＣＰＵ・Ｃ’による出力機器の駆動を可能としている。
【００７４】
なお、画像形成装置の制御手段ＣはＣＰＵ・Ｃ’とＲＡＭ・Ｍ１とＲＯＭ・Ｍ２とインターフェース部材Ｉ／Ｏ等で構成されている。
【００７５】
図３は、画像形成装置の制御形態のフロー図（第１頁）である。
【００７６】
図４は、確認画像の出力時期を選択する画面の１例の、確認画像出力時期選択画面の説明図である。
【００７７】
図５は、確認画像を選択する画面の１例の、確認画像の選択画面の説明図である。
【００７８】
図６は、ジョブ画像のうち確認画像として用いるジョブ画像を指定する画面の１例の、ジョブ画像指定画面の説明図である。
【００７９】
図７は、確認画像の出力時にジョブを中断する可否の選択を行う画面の１例の、確認画像出力時ジョブ中断可否の選択画面の説明図である。
【００８０】
図８は、テストチャート画像の１例の濃度チャートの説明図である。
【００８１】
図９は、画像形成装置の制御形態のフロー図（第２頁）である。
【００８２】
図１０は、画像形成装置の制御形態のフロー図（第３頁）である。
【００８３】
図１１は、画像形成装置の制御形態のフロー図（第４頁）である。
【００８４】
以下画像形成装置の確認画像を出力する制御フローについて図３〜１１を参照して説明する。
【００８５】
図３の確認画像モードにおいて、画像読取手段３にジョブ画像（原稿画像）を読み込ませ、読み込んだジョブ画像情報をＲＡＭ・Ｍ１に記憶させる。（ステップＳ１０１）
ここで、ジョブが複数ある場合は読み込んだ順にジョブ番号を付し、１つのジョブを構成する１または複数の画像情報に読み込んだ順にページ番号を付す（例えばＮジョブのｎ頁のジョブ画像情報）。
【００８６】
また、インターネット通信手段Ｃ１、或いはＬＡＮ通信手段Ｃ２を介して外部のサーバやＰＣと通信を行わせて、これらからジョブ画像情報を入力させても良い。
【００８７】
確認画像の出力時期を選択する確認画像及び確認画像により補整を行うか否かを選択する、補正有無／確認画像出力時期選択画面情報をＲＯＭ・Ｍ２から読み込み、補正有無／確認画像出力時期選択画面２００（図４参照）を表示手段１０１に表示する。（ステップＳ１０２）
確認画像の出力時期のジョブ毎部２００２、枚数毎部２００３、即時部のうち、オペレータにより設定された内容情報、及び補正有無情報を読み込むと共にＲＡＭ・Ｍ１に記憶する。（ステップＳ１０３）
具体的には、数字キー２００１でジョブ毎部２００２に入力されたジョブ数（例えば１０ジョブ）、枚数毎部２００３に入力された枚数（例えば１０００枚）、即時キーの内のいずれかを読み込む。例えば１０ジョブと設定すると１０ジョブ毎に確認画像が出力され、１０００枚と設定すると１０００枚毎に確認画像が出力され、即時キーと設定すると後述する確認画像出力キーがＯＮとなると即時に確認画像が出力される。
【００８８】
ＲＯＭ・Ｍ２から確認画像の選択画面情報及び確認画像を排紙する用紙積載トレイの選択情報を読み込み確認画像及び排紙トレイの選択画面２０１（図５参照）を表示手段１０１に表示する。（ステップＳ１０４）
確認画像の選択画面２０１でジョブ画像情報２０１１が選択されているか否かを判定する。（ステップＳ１０５）
以下にジョブ画像情報が選択されて（Ｙ）確認画像としてジョブ画像を出力する場合について説明する。なお、ジョブ画像情報が選択されず（Ｎ）確認画像としてテストチャート画像を出力する場合については後述する。
【００８９】
ジョブ画像情報が選択されると（Ｙ）、確認画像として出力するジョブ画像を指定するジョブ画像指定画面情報をＲＯＭ・Ｍ２から読み出してジョブ画像指定画面２０２（図６参照）を表示手段１０１に表示する。（ステップＳ１０６）
オペレータにより数字キー２０２１でジョブ番号部２０２２に入力されたジョブ番号（例えばｊジョブ）とページ番号部２０２３に入力された頁番号（例えばｊ頁）とを読み込み、ステップ１０１で取得したジョブ番号とページ番号を付されたジョブ画像情報から、読み込んだジョブ番号とページ番号とに対応するジョブ画像情報を読み込むと共にＲＡＭ・Ｍ１に記憶する。（ステップＳ１０７）
ＲＯＭ・Ｍ２から確認画像出力時ジョブ中断可否の選択画面情報を読み込み確認画像出力時ジョブ中断可否の選択画面２０３（図７参照）を表示手段１０１に表示する。（ステップＳ１０８）
確認画像出力時ジョブ中断の可否確認画面２０３でＹＥＳ情報２０３１またはＮＯ情報２０３２の、いずれか選択された情報を読込み記憶する。（ステップＳ１０９）
画像形成起動操作が行われるのを待つ。（ステップＳ１１０）
画像形成起動操作ＯＮによりジョブ画像情報に基づき画像形成及び出力を行う。（ステップＳ１１１）
出力に応じジョブ番号とジョブ頁をカウントする（例えばｊジョブのｊ頁）。（ステップＳ１１２）
ステップＳ１０２で選択された出力時期選択画面情報をＲＯＭ・Ｍ２から読み出し、ジョブ毎か否か判断する（ステップＳ１１３）
ジョブ毎（Ｙ）であれば、ステップ１１２でカウントしたジョブカウント値が、ステップＳ１０７でＲＡＭ・Ｍ１に記憶設定したジョブ番号（数）（例えばｊジョブ）より等しいか大きいかを判断する。（ステップＳ１１４）
カウントしたジョブカウント値が等しいか大きい場合は（Ｙ）ステップＳ１０７で指定されＲＡＭ・Ｍ１に記憶されたジョブ番号（例えばｊジョブ）とページ番号（例えばｊ頁）に対応する指定ジョブ画像情報を読み出す。（ステップＳ１１５）
カウントしたジョブカウント値が小さい場合は（Ｎ）継続出力するためステップＳ１１１へジャンプする。
【００９０】
ジョブ番号（例えばｊジョブ）とページ番号（例えばｊ頁）に対応する読み出した指定ジョブ画像情報に基づいて画像を出力し、ステップＳ１０４の排紙トレイ選択画面で選択された用紙積載トレイ（例えばトレイ１／第１の用紙積載トレイ５４）に排紙する。（ステップＳ１１６）
ここで、確認画像のためのジョブ出力（例えばｊジョブのｊ頁）の排紙トレイを上面から目視可能な第１の用紙積載トレイ５４に自動的に排紙させるようにしても良く、また、ステップＳ１１１とステップＳ１２０とで行う通常のジョブ出力の排紙トレイと、ステップＳ１１６で行う確認画像のためのジョブ出力の排紙トレイを異なる用紙積載トレイに切り替えるようにしても良い。
【００９１】
ステップＳ１０９で記憶されたジョブ中断可否情報を読み出して中断か否かの判断をする。（ステップＳ１１７）
中断の場合は（Ｙ）ジョブ画像の出力を停止する。（ステップＳ１１８）
ここで、現在実行中のジョブ出力を継続させ、完了後にジョブ画像の出力を停止させても良い。
【００９２】
非中断の場合（Ｎ）はジョブ画像の出力を継続するためステップＳ１２０にジャンプする。
【００９３】
ステップＳ１０３で補正有りが記憶されているかを判断し（ステップＳ１１９）、有り（Ｙ）の場合は補正処理を行う（ステップＳ１２０）。
【００９４】
補正処理とは、オペレータからの補正処理起動指令を待ち、補正処理起動指令ＯＮにより公知の画質濃度及び階調性の少なくとも１つに係る補正（例えば特開平５−１４７２８に記載されているような画質濃度、階調性に係る補正）を行ない、ステップＳ１１６で出力した指定ジョブ画像を補正条件に基づき補正して出力する。
【００９５】
ここで、指定ジョブ画像を補正条件に基づき補正して出力する画像に、出力時のジョブに関するページ番号を付加しても良い。
【００９６】
補正完了後、再び補正有りが記憶されているかを判断し（ステップＳ１２１）、補正有り（Ｙ）の場合はステップＳ１２０にジャンプして、再度補正処理を行う。
【００９７】
ステップＳ１１９及びステップＳ１２１で補正なし（Ｎ）の場合はステップＳ１２２にジャンプして、画像形成起動操作が行われるのを待つ。（ステップＳ１２２）
また、ステップＳ１１９及びステップＳ１２１で補正なし（Ｎ）の場合は、オペレータに指定された給紙トレイから（例えば色つきの用紙収納トレイ）色つきの用紙を給紙し、（給紙装置９が接続されている場合は給紙装置と通信し合い給紙装置の所定トレイから色つきの用紙を給紙させ）後処理装置８で積載中の用紙最上面に補正前後の目印として色つきの用紙をしおりとして集積させても良い。
【００９８】
画像形成起動操作ＯＮによりジョブ画像情報に基づき画像出力・排紙を再開する。（ステップＳ１２３）
ステップＳ１０１で記憶されたジョブ画像情報を読み出して、該ジョブが完了したか否か判断する。（ステップＳ１２４）
完了していない場合（Ｎ）は読み込みジョブ未了と判断して未了ジョブを出力するためステップＳ１１１へジャンプする。
【００９９】
完了した場合（Ｙ）は読み込みジョブ完了と判断して本プログラムを完了し、例えばメインルーチン（不図示）にジャンプする。
【０１００】
また、ステップＳ１１３でジョブ毎を選択されなかった場合は（Ｎ）ステップＳ２０１（図９）にジャンプし、ステップＳ１０２で選択された出力時期選択画面情報をＲＯＭ・Ｍ２から読み出し、枚数毎か否か判断する。（ステップＳ２０１）
枚数毎（Ｙ）であれば、ステップＳ１１２でカウントした当該ジョブの頁カウント値が、ステップＳ１０７でＲＡＭ・Ｍ１に記憶設定した頁番号（数）（例えばｊ頁）より大きいか等しいかを判断する。（ステップＳ２０２）
カウントした頁カウント値が等しいか大きい場合は（Ｙ）ステップＳ１０７で指定されＲＡＭ・Ｍ１に記憶された頁番号（例えばｊ頁）とページ番号（例えばｊ頁）に対応する指定ジョブ画像情報を読み出す。（ステップＳ２０３）
カウントした頁カウント値が小さい場合は（Ｎ）継続出力するためステップＳ１１１へジャンプする。
【０１０１】
ジョブ番号（例えばｊ番）とページ番号（例えばｊ頁）に対応する読み出した指定ジョブ画像情報に基づいて画像を出力し、ステップＳ１０４の排紙トレイ選択画面で選択された用紙積載トレイ（例えばトレイ１／第１の用紙積載トレイ５４）に排紙する。（ステップＳ２０４）
ここで、確認画像のためのジョブ出力（例えばｊジョブのｊ頁）の排紙トレイを上面から目視可能な第１の用紙積載トレイ５４に自動的に排紙させるようにしても良く、また、ステップＳ１１１とステップＳ１２０とで行う通常のジョブ出力の排紙トレイと、ステップＳ１１６で行う確認画像のためのジョブ出力の排紙トレイを異なる用紙積載トレイに切り替えるようにしても良い。
【０１０２】
ステップＳ１０９で記憶されたジョブ中断可否情報を読み出して中断か否かの判断をする。（ステップＳ２０５）
中断の場合は（Ｙ）ジョブ画像の出力を停止する。（ステップＳ２０６）
ここで、現在実行中のジョブ出力を継続させ、完了後にジョブ画像の出力を停止させても良い。
【０１０３】
非中断の場合（Ｎ）はジョブ画像の出力を継続するためステップＳ２０８にジャンプする。
【０１０４】
ステップＳ２０７〜ステップＳ２０９において、前述したステップＳ１１９〜ステップＳ１２１と同様にして補正処理を行ない、ステップＳ２０７とステップＳ２０９において補正なし（Ｎ）の場合はステップ２１０にジャンプして画像形成起動操作が行われるのを待つ。（ステップＳ２１０）
画像形成起動操作ＯＮによりジョブ画像情報に基づき画像出力・排紙を再開する。（ステップＳ２１１）
ステップ１０１で記憶されたジョブ画像情報を読み出して、該ジョブが完了したか否か判断する。（ステップＳ２１２）
完了していない場合（Ｎ）は読み込みジョブ未了と判断して未了ジョブを出力するためステップＳ１１１（図３・Ｘ）へジャンプする。
【０１０５】
完了した場合（Ｙ）は読み込みジョブ完了と判断して本プログラムを完了し、例えばメインルーチン（不図示）にジャンプする。
【０１０６】
また、ステップＳ２０１で枚数毎を選択されなかった場合は（Ｎ）指定時期に即時確認画像を出力するものと判断し、ステップＳ３０１（図１０）にジャンプして、ＲＡＭ・Ｍ１に記憶されたジョブ番号（例えばｊジョブ）と頁番号（例えばｊ頁）とに対応するジョブ画像情報を読み出す。（ステップＳ３０１）
操作パネル等から確認画像瞬時出力指示が入力されるのを待つ。（ステップＳ３０２）
確認画像瞬時出力指示が入力されると、ステップＳ３０１で読み出したジョブ画像情報に基づいて出力し、ステップＳ１０４の排紙トレイ選択画面で選択された用紙積載トレイ（例えばトレイ１／第１の用紙積載トレイ５４）に排紙する。（ステップＳ３０３）
ここで、確認画像のためのジョブ出力（例えばｊジョブのｊ頁）の排紙トレイを上面から目視可能な第１の用紙積載トレイ５４に自動的に排紙させるようにしても良く、また、ステップＳ１１１とステップＳ１２０とで行う通常のジョブ出力の排紙トレイと、ステップＳ１１６で行う確認画像のためのジョブ出力の排紙トレイを異なる用紙積載トレイに切り替えるようにしても良い。
【０１０７】
ステップＳ１０９で記憶されたジョブ中断可否情報を読み出して中断か否かの判断をする。（ステップＳ３０４）
中断の場合は（Ｙ）ジョブ画像の出力を停止する。（ステップＳ３０５）
ここで、現在実行中のジョブ出力を継続させ、完了後にジョブ画像の出力を停止させても良い。
【０１０８】
非中断の場合（Ｎ）はジョブ画像の出力を継続するためステップＳ３０７にジャンプする。
【０１０９】
ステップＳ３０６〜ステップＳ３０８において、前述したステップＳ１１９〜ステップＳ１２１と同様にして補正処理を行ない、ステップＳ３０６とステップＳ３０８において補正なし（Ｎ）の場合はステップＳ３０９にジャンプして画像形成起動操作が行われるのを待つ。（ステップＳ３０９）
画像形成起動操作ＯＮによりジョブ画像情報に基づき画像出力・排紙を再開する。（ステップＳ３１０）
ステップＳ１０１で記憶されたジョブ画像情報を読み出して、該ジョブが完了したか否か判断する。（ステップＳ３１１）
完了していない場合（Ｎ）は読み込みジョブ未了と判断して未了ジョブを出力するためステップＳ１１１（図３・Ｘ）へジャンプする。
【０１１０】
完了した場合（Ｙ）は読み込みジョブ完了と判断して本プログラムを完了し、例えばメインルーチン（不図示）にジャンプする。
【０１１１】
以下に、ステップＳ１０５でジョブ画像情報が選択されず（Ｎ）確認画像としてテストチャート画像を出力する場合について説明する。
【０１１２】
テストチャート画像としては濃度補正用パッチ画像、階調確認用濃度チャート画像等が挙げられるが、その１例である図８の濃度チャート画面２０４には、階調確認用濃度チャート２０４１と、テストチャート画面を出力する時点のジョブのジョブ頁２０４２（例えば１２３４頁）が表示される。
【０１１３】
なお、ステップＳ１０１〜３０８は確認画像として出力する画像がジョブ画像であることに対して、ステップＳ４０１以降は確認画像として出力する画像がテストチャート画像であることが違う他はステップＳ１０６〜ステップＳ３０８と略同様なため、例えばステップＳ１０６〜Ｓ１２１に相当するステップＳ４０１〜４１７の図示と、大きな異なる部分の説明を行う。
【０１１４】
テストチャートを出力するフローは、ステップＳ４０１〜４１７、及び、図９に示すステップＳ２０１〜Ｓ２０９と図１０に示すステップＳ３０１〜Ｓ３０８と同様なフローで構成されている。
【０１１５】
ステップＳ１０５でジョブ画像がＮＯの場合すなわちテストチャートが選択された場合、ＲＯＭ・Ｍ２からテストチャート画像情報を読み込む。（ステップＳ４０１）
図１１のステップＳ４０１〜Ｓ４０３では複数のテストチャートがある場合任意のチャート（例えば図８の濃度チャート）を指定する。また、ステップＳ４１１〜Ｓ４１２では指定したテストチャートを出力する。
【０１１６】
また、図９のステップＳ２０３〜Ｓ２０４に相当するステップでは指定したテストチャートを読み出し、出力する。
【０１１７】
また、図１０のステップＳ３０１〜Ｓ３０３に相当するステップでは指定したテストチャートを読み出し、出力する。
【０１１８】
ステップＳ４１４でジョブ画像の出力を停止した後、ステップＳ１０３で補正有りが記憶されているかを判断し（ステップＳ４１５）、有り（Ｙ）の場合は補正処理を行う（ステップＳ４１６）。
【０１１９】
ステップＳ４１５で行う補正処理とは、自動的に公知の画質濃度及び階調性に係る補正（例えば特開平５−１４７２８に記載されているような画質濃度及び階調性に係る補正）を行なう。すなわち、自動的にテストチャートの画質濃度及び階調性に係る検出を行い、検出値に基づき画質濃度及び階調性に係る補正を行なう。
【０１２０】
ステップＳ４１５で補正なし（Ｎ）の場合はステップＳ４１７にジャンプして、画像形成起動操作が行われるのを待つ。（ステップＳ４１７）
また、ステップＳ４１５で補正なし（Ｎ）の場合は、オペレータに指定された給紙トレイから（例えば色つきの用紙収納トレイ）色つきの用紙を給紙し、（給紙装置９が接続されている場合は給紙装置と通信し合い給紙装置の所定トレイから色つきの用紙を給紙させ）後処理装置８で積載中の用紙最上面に補正前後の目印として色つきの用紙をしおりとして集積させても良い。
【０１２１】
以下に給紙装置と画像形成装置と後処理装置とが接続された画像形成システムについて説明する。
【０１２２】
図１２は、給紙装置の説明図である。
【０１２３】
図１２は画像形成装置に接続される給紙装置の１例を示す断面構成図である。以下に給紙装置９について説明する。
【０１２４】
図１２は用紙Ｐを収納して図示上下に移動する用紙積載台９１３が上限位置近傍に上昇した状態を示し、用紙積載台９１３上面に用紙Ｐが収納されている。
【０１２５】
先ず用紙積載台９１３の移動について説明すると、昇降用ワイヤ９１４，９１２，９１６，９１５の一方の端部は、給紙装置本体の上部の係止部９１７，９１１，９１８，９１９にそれぞれ係止され、他方の端部は昇降駆動軸９１８に固定されている。そしてその間に動滑車９２１、９２４、９１４、９２６が各ワイヤによりつり下げられ、動滑車に用紙積載台９１３が固定されている。
【０１２６】
このため、昇降駆動軸９１８を正逆回転させることにより用紙積載台９１３を移動可能としている。
【０１２７】
詳しくは、紙面表側（紙面裏側）それぞれで、一端が係止部９１７（９１８）に係止された昇降用ワイヤ９１４（９１６）は、用紙積載台９１３の用紙搬送下流側に取り付けられた動滑車９２０（９２３）を巻回し、給紙装置本体に支持されたプーリ９２１（９２４）とプーリ９１６（９１７）を巻回し、更に、昇降駆動軸９１８の一方の端部に配置されたプーリ９１９（９２５）に巻き付けられ係止されている。また、紙面表側（紙面表側）それぞれで、一端が係止部９１１（９１９）に係止された昇降用ワイヤ９１２（９１５）は用紙積載台９１３の用紙搬送上流側に取り付けられた動滑車９１４（９２６）を巻回し、給紙装置本体に支持されたプーリ９１５（９２７）とプーリ９２２（９２８）を巻回し、プーリ９１８と同軸上のプーリ９１９（９２５）を巻回し、更に、昇降駆動軸９１８の一方の端部に配置されたプーリ９１９に巻き付けられ係止されている。
【０１２８】
そして、給紙装置本体に支持された昇降駆動軸９１８は、モータＭ1と駆動伝達系Ｇとから成る駆動手段により駆動される。モータＭ1の正逆回転により、歯車列から成る駆動伝達系Ｇを介して、昇降駆動軸９１８が正逆回転される。
【０１２９】
モータＭ1の駆動によって、歯車列等から成る駆動伝達系Ｇを介して昇降駆動軸９１８が回転される。昇降駆動軸９１８の回転により、昇降駆動軸９１８に固定されたプーリ９１９は昇降用ワイヤ９１４、９１６、９１２、９１５を巻き取り回動させる。
【０１３０】
一端が係止部９１７、９１８、９１１、９１９に固定されて回動する昇降用ワイヤ９１４、９１６、９１２、９１５は、プーリ９２１と９１６，９２４と９１７、９１５と９２２、９２７と９２８を巻回して、中間の動滑車９２０、９２３、９１４、９２６を上昇／下降させる。各動滑車の移動量は各昇降用ワイヤの移動量の１／２である。動滑車９２０、９２３、９１４、９２６に４隅が固定された用紙積載台９１３は、昇降用ワイヤの移動量の１／２の移動量及び速度で上昇／下降する。
【０１３１】
用紙積載台９１３は、ガイド溝部９２９，９３０に案内されて、鉛直方向に移動可能である。
【０１３２】
なお、１点鎖線が用紙積載台９１３が下限位置近傍に下降した状態を示している。
【０１３３】
用紙センサＳ１により用紙積載台９１３または用紙積載台上に収納された用紙の最上面が検知され給紙装置制御手段ＣＺにより用紙の最上面が分離ローラ９３１の下面となるような位置にモータＭ1を回転駆動制御している。
【０１３４】
また、分離ローラ９３１は、給紙装置制御手段ＣＺによりモータＭ2を所定のタイミングで矢印方向に回転されることにより、上面の用紙Ｐを１枚取り出す。
【０１３５】
取り出された用紙Ｐは、給紙装置制御手段ＣＺによるモータＭ3の回転駆動により中間ローラ９３２、排紙ローラ９３３が矢印方向に回転され、給紙装置９の排紙口９３４から排紙され、下流の画像形成装置１に給紙される。
【０１３６】
ここで、給紙装置の給紙装置制御手段ＣＺはＣＰＵ等で構成された制御手段Ｃ’’と、画像形成装置１と通信を行う給紙装置の通信手段Ｃ３’と、用紙の給紙に係るプログラムを記憶するＲＯＭ・Ｍ３等と、を有している。
【０１３７】
また、給紙装置の給紙装置通信手段Ｃ３’は、画像形成装置１の給紙装置通信手段Ｃ３に接続されており、給紙装置制御手段ＣＺは画像形成装置１の給紙装置通信手段Ｃ３からの用紙搬送指令を給紙装置通信手段Ｃ３’で受信し、用紙搬送指令に基づき用紙Ｐを上述したように１枚づつ取りだして画像形成装置に給紙する。
【０１３８】
図１３は、後処理装置の説明図である。
【０１３９】
図１３は、画像形成装置に接続される後処理装置の１例を示す断面構成図である。以下に後処理装置８について説明する。
【０１４０】
後処理装置８は、排紙ローラ５３により画像形成装置１から排紙される用紙Ｐを取り込むための取り込み口７０、と、用紙の搬送経路上に設けた用紙を中折りする中折り部（以下中折りユニットとも記す）７１、と、エア吸着方式からなり用紙を搬送する第１搬送手段（以下第１搬送ユニットとも記す）７２、と、用紙を例えばステープル処理する中綴じ部７３、と、一対のベルトからなり用紙を搬送する第２搬送手段７４、と、ローラおよびベルトからなり用紙を搬送する第３搬送手段７５、と、カッタにより用紙を切断する断裁部７６、と、用紙を集積するスタック部７７、と、カバーシートを集積給紙するカバーシートフィーダ７８、と、後処理装置８の上からトレイの上表面が目視可能な用紙を集積するトレイ７９、と、上述したユニット等を制御する後処理装置制御手段ＣＹとを有している。
【０１４１】
矢印Ｆ１、Ｆ２、Ｆ３、および、Ｆ４は用紙の４つの搬送経路を示し、Ｆ１は中綴じの指令に基づいて搬送される用紙の搬送経路、Ｆ２は前記搬送経路Ｆ１を介して搬送され、中綴じ部７３に積載される用紙の束の表紙になるシートの搬送経路、Ｆ３は中綴じを必要としない用紙を前記トレイ７９に搬送する搬送経路、および、Ｆ４は当該後処理装置と一体的に連結できる他の後処理装置における後処理が必要な用紙の搬送経路であり、これら搬送経路上には多数の搬送ローラ対（図番なし）が備えられている。
【０１４２】
なお、７００は切替手段で、前記搬送経路Ｆ１と搬送経路Ｆ３とのいずれかを選択的に解放（使用可能状態）し、また、他の切替手段７０３は前記搬送経路Ｆ３と搬送経路Ｆ４とのいずれかを選択的に解放するように、作業指令の内容に応じて作動制御される。
【０１４３】
ところで、前記搬送経路Ｆ１上に設けられている中折りユニット７１には、用紙を搬送方向に対して直交する方向（本実施の形態においては、水平左方向）に押し込むべく設けた、薄板あるいはナイフ状の板材からなる押し込み部材７１０と、前記押し込み部材７１０により押し込まれた用紙を圧着挟時する上側ローラ７１３、および、下側ローラ７１５と、用紙を順方向（搬送経路に従った搬送方向で、この場合は、上から下に向かう方向）に搬送すべく前記下側ローラと圧着しながら回転する搬送ローラ７１７と、前記ローラ群のある位置よりも下流位置であって、搬送経路に対して挿脱可能に設けたストッパ７１９とが備えてある。
【０１４４】
そして、使用される用紙の搬送方向におけるサイズに対して、前記上側ローラ７１３と下側ローラ７１５との高さ方向におけるニップ位置から半分に該当する搬送経路内の位置にストッパ７１９を臨ましめ、前記取り込み口７０から取り込んだ用紙の先端が前記ストッパ７１９に達した後、前記ローラ群の正方向回転を停止させる。
【０１４５】
次いで、前記押し込み部材７１０により用紙を前記上側ローラ７１３と下側ローラ７１５との間に押し込んで用紙の搬送方向と直交する方向に折り目をつけ、しかる後、前記のローラ群を再度正方向に回転せしめ、中綴じ部７３に向けて用紙を送り出す。
【０１４６】
前記第１搬送ユニット７２は、多数の孔を設けた可回転ベルト７２０と、前記可回転ベルト７２０の内側に設けられ、かつ、吸引手段Ｓｕにダクトを介して連結する吸引ボックス７２３とを備えている。
【０１４７】
７２５は針金等の線材からなる可回転の分離部材で、前記可回転ベルト７２０の下側面上に吸着状態で搬送される用紙の先端部を強制的に内側（図の上側）から叩き、分離させる機能を有する。Ｍは分離部材７２５を駆動するモータである。
【０１４８】
中綴じ部７３は、前記第１搬送手段７２を介して搬送される用紙を積載する積載手段を備えており、積載手段は上流側に設けた（用紙受けの）第１ガイド部材７３０と下流側に設けた（用紙受けの）第２ガイド部材７３３とを主要素とする。
【０１４９】
前記第１、および、第２ガイド部材７３０、７３３は垂直面に対して約４５度の角度を以て配設した板材からなり、全体的な形状は山形形状をなしているが、頂部側における両ガイド部材の端部は間隙を有している。
【０１５０】
更に、前記第２ガイド部材７３３の奥行き方向において分割された中央部位は、図示位置から右斜め上方に向けて所定距離分だけ往復動出来るように構成してある。
【０１５１】
これは、中綴じ処理が終了した後の用紙束の折り目に先端を進入させ、二つ折りの冊子の形態にしながら第２搬送手段７４のベルト間に押し込む役割をはたさせるためである。
【０１５２】
前記第１、第２ガイド部材７３０、７３３に挟まれる中央位置には受針手段７３５が高さ位置固定で、かつ、奥行き方向（紙面の表裏方向）には可動に設けてあり、その上部一部は、両ガイド部材の頂部領域における間隙に位置している。
【０１５３】
前記受針手段７３５の上方には、所定の間隙を以て打針手段７３６が軸７３７中心で揺動可能に、かつ、奥行き方向には可動に付設してある。
【０１５４】
前記打針手段７３６と受針手段７３５で構成されるステープラは１００枚の用紙を綴じる能力があり、図の奥行き方向に適宜の間隔を以て二つ準備してある。
【０１５５】
第１，第２ガイド部材７３０、７３３及び用紙先端の位置出しストッパ７３９により用紙の位置出しを行い、整合手段７３８により用紙の折り目を整合し、次いで打針手段７３６と受針手段７３５を作動させることにより、１００枚の用紙を二つ折りした小冊子を得ることができる。
【０１５６】
その他、図示しない公知の構成によりカール矯正処理、穴あけ処理、仕分け処理を行えるようにしてある。
【０１５７】
上記のような構成により中綴じ処理が終了した用紙束は第二ガイド部材７３３の一部で右上方に突き上げられ、徐々に小冊子の形態をとりながら第２搬送手段７４に受け渡され、当該第２搬送手段と、更に、第３搬送手段７５の作用により方向転換するとともにしっかりと二つ折りされた後、断裁部７６でカッタ７６１により小口を断裁され、スタック部７７に排出される。
【０１５８】
前記スタック部７７は積載量に応じて順次下降し、所定量の積み上げを可能とする。
【０１５９】
そして、後処理装置制御手段ＣＹは、後処理の制御プログラムや通信制御に係るプログラム等を記憶したリードオンリープログラムＲＯＭ・Ｍ２と、画像形成装置１と通信を行う後処理装置通信手段Ｃ４’と、ＣＰＵ等で構成された制御手段Ｃ’等を有し、上述した各ユニット等を制御している。
【０１６０】
ＲＯＭ・Ｍ２には後処理に係る制御プログラム及び画像形成装置との連動運転に必要なプログラム等が予め記憶されている。
【０１６１】
後処理装置８の後処理装置通信手段Ｃ４’は画像形成装置１の後処理装置通信手段Ｃ４に接続されており、画像形成装置１の制御手段Ｃから、給紙される用紙が確認画像に係る用紙であるか否か（通常のジョブに係る用紙でないか）の確認画像用紙情報と、ジョブ情報が送信され、後処理装置通信手段Ｃ４と後処理装置通信手段Ｃ４’とを介して確認画像用紙情報とジョブ情報とが制御手段ＣＹに入力される。
【０１６２】
制御手段ＣＹは後処理装置に給紙される用紙が確認画像用紙である確認画像用紙情報を受信すると、切替手段７０３を作動させて搬送経路Ｆ３を解放させ、搬送される確認画像用紙をトレイの上表面が目視可能なトレイ７９に排紙する。
【０１６３】
また、制御手段ＣＹはジョブ情報に応じて用紙を必要な搬送経路に搬送させ、上述したようにジョブ情報に応じた後処理を行わせ、大容量の用紙を積載可能なスタック部７７に通常のジョブ画像の用紙を排紙・積載させる。
【０１６４】
図１４は、画像形成システムの説明図である。
【０１６５】
図１４において、８は後処理装置、９は給紙装置で、それぞれ画像形成装置１に接続され、給紙装置９で給紙された用紙Ｐに、画像形成装置１でジョブ画像或いは確認画像が画像形成され、後処理装置８で集積される。
【０１６６】
給紙装置９、画像形成装置１、及び後処理装置８はそれぞれ上述した構成、動作を行い、全体システムとして連動運転を行う。
【０１６７】
なお、給紙装置９、画像形成装置１、及び後処理装置８はそれぞれ個別また連動した場合の構成と作用について上述したので説明を省略する。
【０１６８】
必要に応じて給紙装置と後処理装置とを複数設けてシステム動作をさせても良い。
【０１６９】
以上モノクロの画像形成装置について説明したがカラー画像形成装置についても応用できることは言うまでもない。
【図面の簡単な説明】
【０１７０】
【図１】画像形成装置の１例を示す断面構成図である。
【図２】画像形成装置の第１の制御形態のブロック図である。
【図３】画像形成装置の制御形態のフロー図（第１頁）である。
【図４】確認画像の出力時期を選択する画面の１例の、確認画像出力時期選択画面の説明図である。
【図５】確認画像を選択する画面の１例の、確認画像の選択画面の説明図である。
【図６】ジョブ画像のうち確認画像として用いるジョブ画像を指定する画面の１例の、ジョブ画像指定画面の説明図である。
【図７】確認画像の出力時にジョブを中断する可否の選択を行う画面の１例の、確認画像出力時ジョブ中断可否の選択画面の説明図である。
【図８】テストチャート画像の１例の濃度チャートの説明図である。
【図９】画像形成装置の制御形態のフロー図（第２頁）である。
【図１０】画像形成装置の制御形態のフロー図（第３頁）である。
【図１１】画像形成装置の制御形態のフロー図（第４頁）である。
【図１２】給紙装置の説明図である。
【図１３】後処理装置の説明図である。
【図１４】画像形成システムの説明図である。
【符号の説明】
【０１７１】
１  画像形成装置
３  画像読取手段
４  画像形成手段
５  給紙手段
８  後処理装置
９  給紙装置
１０  操作パネル
５４  第１の用紙積載トレイ
５５  第２の用紙積載トレイ
７９  トレイ
１０１  表示手段
１０２  入力手段
２００  補正有無／確認画像出力時期選択画面
２０１  確認画像及び排紙トレイの選択画面
２０２  ジョブ画像指定画面
２０３  確認画像出力時ジョブ中断可否の選択画面
９１３  用紙積載台
Ｃ  制御手段
ＣＹ  制御手段
ＣＺ  制御手段
Ｃ１  インターネット通信制御手段
Ｃ２  ＬＡＮ通信制御手段
Ｃ３  給紙装置通信手段
Ｃ４  後処理装置通信手段
Ｄ  自動給紙ユニット
Ｍ１  ＲＡＭ
Ｍ２  ＲＯＭ
【図１】
2007041353.tif 000003
【図２】
2007041353.tif 000004
【図３】
2007041353.tif 000005
【図４】
2007041353.tif 000006
【図５】
2007041353.tif 000007
【図６】
2007041353.tif 000008
【図７】
2007041353.tif 000009
【図８】
2007041353.tif 000010
【図９】
2007041353.tif 000011
【図１０】
2007041353.tif 000012
【図１１】
2007041353.tif 000013
【図１２】
2007041353.tif 000014
【図１３】
2007041353.tif 000015
【図１４】
2007041353.tif 000016